(57)【要約】【課題】蒸気使用量に対して蒸気供給量の余裕が少ない状態で、ボイラが全ブローを行うことで蒸気供給量が低下した場合に、蒸気供給量や蒸気圧力の低下によって蒸気使用部が異常停止したり、蒸気使用部で製造している製品の品質低下を招くことを防止する。【解決手段】水を加熱して蒸気を発生するボイラ１と、ボイラ１で発生した蒸気を使用している蒸気使用部２からなる蒸気供給システムにおいて、ボイラ１の燃焼を停止してボイラ内の缶水を排出する全ブローを行う場合、全ブローの開始時よりも前の時点で全ブロー実施を事前に報知する報知信号の出力を開始しておき、前記報知信号に基づき、全ブロー実施前に前記蒸気使用部２での蒸気使用量を削減し、その後に全ブローを開始する。【選択図】図１
2011064358.tif 000002
【特許請求の範囲】
【請求項１】
水を加熱して蒸気を発生するボイラと、ボイラで発生した蒸気を使用している蒸気使用部からなる蒸気供給システムにおいて、ボイラの燃焼を停止してボイラ内の缶水を排出する全ブローを行う場合、全ブローの開始時よりも前の時点で全ブロー実施を事前に報知する報知信号の出力を開始しておき、前記報知信号に基づき、全ブロー実施前に前記蒸気使用部での蒸気使用量を削減し、その後に全ブローを開始するものであることを特徴とする蒸気供給システム。
【請求項２】
請求項１に記載の蒸気供給システムにおいて、全ブローの終了時よりも後の時点まで全ブロー実施を報知する報知信号の出力を継続するようにしておき、全ブローを終了しても前記報知信号が出力されている間は蒸気使用部での蒸気使用量の削減を継続し、前記全ブロー実施の信号が終了した以降に蒸気使用部での蒸気使用量の削減を終了するものであることを特徴とする蒸気供給システム。
【発明の詳細な説明】
【技術分野】
【０００１】
本発明は、水を加熱して蒸気を発生するボイラと、ボイラで発生した蒸気を使用している蒸気使用部からなる蒸気供給システムに関するものである。
【背景技術】
【０００２】
水を加熱して蒸気を発生しているボイラでは、給水と蒸発を繰り返すことで水中の不純物が次第に濃縮していく。そのために缶内にたまったスラッジなどを排出する全ブローを定期的に実施する必要がある。全ブロー実施中のボイラでは、当然燃焼を停止しており、蒸気を供給することができないため、ボイラを複数台設置している多缶設置では、全ブローを行うボイラが重ならないように全ブロー時期を調節することは行われている。しかし、全ブローが重ならないようにした場合でも、全ブローを行っているボイラが存在している時には、ボイラ全体で行える蒸気供給量は通常時よりも減少することになる。
【０００３】
蒸気使用部での蒸気使用量に対してボイラでの蒸気供給量に余裕が少ない場合、ボイラが全ブローを行うことで蒸気の供給量が減少すると、蒸気供給量が蒸気使用量を下回り、蒸気が不足することがある。蒸気の供給量が不足することで蒸気の圧力が低下した場合などでは、蒸気使用部の運転を維持することができなくなって蒸気使用部では異常停止したり、蒸気使用部の運転が不完全となって蒸気使用部で製造してる製品の品質が低下するということがある。このような事態になると、広範な範囲に影響を与えることになる。
【先行技術文献】
【特許文献】
【０００４】
【特許文献１】特開平３−３６４０３号公報
【発明の概要】
【発明が解決しようとする課題】
【０００５】
本発明が解決しようとする課題は、蒸気使用量に対して蒸気供給量の余裕が少ない状態で、ボイラが全ブローを行うことで蒸気供給量が低下した場合に、蒸気供給量や蒸気圧力の低下によって蒸気使用部が異常停止したり、蒸気使用部で製造している製品の品質低下を招くことを防止することにある。
【課題を解決するための手段】
【０００６】
請求項１に記載の発明は、水を加熱して蒸気を発生するボイラと、ボイラで発生した蒸気を使用している蒸気使用部からなる蒸気供給システムにおいて、ボイラの燃焼を停止してボイラ内の缶水を排出する全ブローを行う場合、全ブローの開始時よりも前の時点で全ブロー実施を事前に報知する報知信号の出力を開始しておき、前記報知信号に基づき、全ブロー実施前に前記蒸気使用部での蒸気使用量を削減し、その後に全ブローを開始するものであることを特徴とする。
【０００７】
請求項２に記載の発明は、前記の蒸気供給システムにおいて、全ブローの終了時よりも後の時点まで全ブロー実施を報知する報知信号の出力を継続するようにしておき、全ブローを終了しても前記報知信号が出力されている間は蒸気使用部での蒸気使用量の削減を継続し、前記全ブロー実施の信号が終了した以降に蒸気使用部での蒸気使用量の削減を終了するものであることを特徴とする。
【発明の効果】
【０００８】
全ブローの開始よりも前に全ブロー実施の報知信号を出力しておき、報知信号に基づいて事前に蒸気使用量の削減を行うことで、全ブロー実施時に蒸気供給量が低下したとしても、すべての蒸気使用部が異常停止してしまったり、蒸気使用部の運転が不完全になるということを防止できる。また、全ブローを終了しても全ブローを行ったボイラの缶内圧力が所定の圧力に達するまでは蒸気供給を行えないため、その間も蒸気使用量の削減を続けたままとしておき、全ブローを行っていたボイラが蒸気供給を行えるようになった以降に蒸気使用量の削減を終了することで、全ブロー実施の前後においても蒸気供給量の不足によって蒸気使用部に異常事態が発生することを防止できる。
【図面の簡単な説明】
【０００９】
【図１】本発明を実施している蒸気供給システムのフロー図
【図２】ボイラ運転状態と蒸気供給状態の関係を示した説明図
【発明を実施するための形態】
【００１０】
本発明の一実施例を図面を用いて説明する。図１は本発明を実施している蒸気供給システムのフロー図、図２はボイラの運転状態と蒸気使用部への蒸気供給状態の関係を示した説明図である。本実施例ではボイラ１を３台設置しておき、各ボイラ１は蒸気配管５で蒸気ヘッダ４と接続する。各ボイラ１で発生した蒸気は蒸気ヘッダ４に集合し、蒸気ヘッダ４から複数設けている蒸気使用部２へ蒸気の供給を行う。蒸気ヘッダ４には蒸気圧力を検出する圧力検出装置６を設け、圧力検出装置６で検出した蒸気圧力値の情報は台数制御装置３へ出力する。各ボイラ１にはそれぞれに運転制御装置７を設け、各運転制御装置７は台数制御装置３と接続しておく。蒸気使用部２は、Ａ・Ｂ・Ｃ・Ｄの４箇所となっており、蒸気ヘッダ４との間を蒸気配管５で接続している。蒸気ヘッダ４と各蒸気使用部２との間を結ぶ蒸気配管５には、それぞれに蒸気供給制御弁８を設けており、各蒸気使用部２への蒸気供給は、蒸気配管５に設けた蒸気供給制御弁８によって制御することができるようにしている。
【００１１】
ボイラの運転制御は、通常は台数制御装置３と各ボイラに設けている運転制御装置７で行う。台数制御装置３には、蒸気圧力値に応じてボイラの燃焼台数を定めた燃焼パターンと、各ボイラの稼働優先順位を設定しておく。台数制御装置３では圧力検出装置６で検出した蒸気圧力値に基づいて必要な燃焼台数を算出し、稼働優先順位の高いボイラから算出した燃焼台数分のボイラに対して燃焼要求信号を出力する。台数制御装置３は、圧力検出装置６で検出した蒸気圧力値が上昇すれば燃焼要求信号の出力を行うボイラの台数を減少し、蒸気圧力値が低下すれば燃焼要求信号の出力を行うボイラの台数を増加する。また、各ボイラ１には、各ボイラ１における蒸気圧力値を算出するボイラ部圧力検出装置９を設けておき、ボイラ部圧力検出装置９で検出した蒸気圧力値を運転制御装置７へ送るようにしている。各ボイラ１では、台数制御装置３を使用せず、ボイラ部圧力検出装置９にて検出した蒸気圧力値に基づき、単独で運転制御を行うことも可能にしている。
【００１２】
ボイラ１は、燃焼を行うことでボイラ内の缶水を加熱して蒸気を発生し、発生した蒸気は蒸気配管５を通じて蒸気ヘッダ４へと取り出している。ボイラでは、缶水が蒸発によって減少すると水を補給するというものであり、給水と蒸発を繰り返すことでボイラ内の缶水に含まれている不純物は次第に濃縮していく。そのために缶内にたまったスラッジなどを排出する全ブローを定期的に実施することが必要であり、全ブローを実施している間は燃焼を停止しており、蒸気を供給することはできない。
【００１３】
図２では、時刻ｃでボイラ３号缶の全ブローを開始している場合のものである。全ブローの実施はボイラごとに判定するようにしており、前回の全ブロー実施以降に行われた燃焼時間を計測しておき、燃焼時間が所定時間に達すると、全ブロー実施時期となる。ボイラ１では、全ブローを実施する前から全ブローの実施を報知する信号（お知らせ信号）の出力を行う。報知信号の出力は、実際に全ブローを開始する時刻ｃよりもＸ分前の時点である時刻ａから開始する。全ブローの報知は、表示灯を点灯させることによる表示や、表示画面に文字を表示することによって行う。
【００１４】
ボイラ全体での蒸気発生能力が蒸気使用部全体での蒸気使用量よりも十分に大きく、１台のボイラが燃焼を停止したとしても蒸気供給量が不足することはない、という場合であれば全ブローを実施するためにボイラが停止しても蒸気使用部２への影響はない。しかし、蒸気供給量に余裕がない状態の時にボイラが全ブローを開始すると、蒸気供給量が減少することで蒸気の供給が不足することがある。蒸気使用部２では、所定の蒸気圧力や蒸気流量が必要であるという場合には、蒸気供給量の低下によって所定の蒸気圧力や蒸気流量を維持できなくなると、蒸気使用部２では蒸気不足によって異常停止したり、不完全な運転によって蒸気使用部２が製造している製品の品質が低下するなどの影響が現れることになる。この場合には、蒸気使用部Ａ・Ｂ・Ｃ・Ｄのすべてで異常が発生することになる。
【００１５】
そのような場合には、全ブロー報知の出力に基づき、全ブローの開始に先立って蒸気使用部２での蒸気使用量の削減を行う。本実施例では、全ブロー実施報知の信号を受けて、時刻ｂで蒸気使用部Ｄの運転を停止し、蒸気供給を制御している蒸気供給制御弁８を操作して、蒸気使用部Ｄに対する蒸気供給を停止している。蒸気使用部Ｄの運転を停止させることで、蒸気使用部２の全体での必要蒸気量を削減することができる。
【００１６】
その後、時刻ｃにてボイラ３号缶の全ブローを開始している。ボイラ３号缶が全ブローを行っている間は、ボイラ３号缶からの蒸気供給は行われないため、ボイラ全体での蒸気供給量は低下する。しかし、全ブローによる燃焼停止によって蒸気供給量が減少しても、事前に蒸気使用部２で使用する蒸気量を削減しておいたことで、蒸気供給量が蒸気使用量を下回ることはなく、蒸気ヘッダ４から蒸気使用部２へ供給している蒸気の圧力が低下するということは防止できる。ボイラ１号缶及び２号缶で発生した蒸気は、蒸気使用部Ａ・Ｂ・Ｃへのみ供給することで、蒸気使用部Ａ・Ｂ・Ｃには必要量の蒸気を供給することができ、蒸気使用部Ａ・Ｂ・Ｃでは運転を正常に継続することができる。
【００１７】
時刻ｄでボイラ３号缶の全ブローが終了すると、ボイラ３号缶では燃焼準備の工程を行って燃焼を開始する。ボイラ３号缶での全ブローは時刻ｄで終了しているが、この時点ではボイラ３号缶からの蒸気供給は行えない。３号缶ボイラからの蒸気供給は、ボイラに給水を行い、ボイラでの燃焼を行ってボイラ内の缶水を加熱し、ボイラ内の蒸気圧力が蒸気ヘッダ内の圧力まで上昇した以降でないと、蒸気ヘッダ４への蒸気の供給は行えないため、全ブロー報知の出力はまだ継続しておき、蒸気使用部Ｄの運転は停止したままとしておく。全ブロー報知の出力は、ボイラ３号缶での燃焼を開始し、ボイラ３号缶の缶内圧力が設定圧力Ｘとなる時刻ｅまで継続しておき、時刻ｅで全ブロー報知の出力を停止した後に蒸気使用部Ｄへの蒸気供給を再開し、蒸気使用部Ｄの運転を再開する。
【００１８】
上記の制御を行うと、全ブローの実施によって蒸気供給量が減少した場合でも、すべての蒸気使用部への蒸気供給が不足してしまうということはなくなり、必要な蒸気圧力値や蒸気流量を維持できなくなることで、すべての蒸気使用部において異常が発生するという最悪の事態は防止することができる。
【００１９】
なお、本実施例では、複数設置している蒸気使用部の一部に対して蒸気供給を停止することで蒸気の使用量を削減するようにしたが、蒸気を送りながら蒸気使用量を削減してもよい。例えば蒸気使用部では蒸気によって加熱と保温を行っており、蒸気を大量に使用する加熱運転は間欠的に行っているという場合には、全ブロー実施の報知信号が出力されている間は加熱運転を行わないとすることでも、蒸気使用量の削減を行うことができる。
【符号の説明】
【００２０】
１  ボイラ
２  蒸気使用部
３  台数制御装置
４  蒸気ヘッダ
５  蒸気配管
６  圧力検出装置
７  運転制御装置
８  蒸気供給制御弁
９  ボイラ部圧力検出装置  
【図１】
2011064358.tif 000003
【図２】
2011064358.tif 000004